(57)【要約】【課題】軽量で保管時にはコンパクトであり、かつ容易に組み立てることができるとともに、耐久性及びメンテナンス性が良好な止水板を提供する。【解決手段】止水板１０は、繊維及び合成樹脂の複合材からなる複数の縦リブ部１１Ｂが並設され、かつ隣接する縦リブ部１１Ｂの間にスキン部１１Ｃを有する巻き取り可能な止水シート１１と、止水ゴム部１２と、止水シート１１と止水ゴム部１２の間に配置され、止水ゴム部１２を止水シート１１に接着させる粘着層とを備える。【選択図】図１
2019100054.tif 000002
【特許請求の範囲】
【請求項１】
繊維及び合成樹脂の複合材からなる複数の縦リブ部が並設され、かつ隣接する縦リブ部の間にスキン部を有する巻回可能な止水シートと、
止水ゴム部と、
前記止水シートと止水ゴム部の間に配置され、前記止水ゴム部を前記止水シートに接着させる粘着層と
を備える止水板。
【請求項２】
前記粘着層がアクリル系粘着剤からなる請求項１に記載の止水板。
【請求項３】
前記止水シートと止水ゴム部の間に、熱可塑性樹脂層と、前記熱可塑性樹脂層の両面それぞれに設けられた前記粘着層とを備える請求項１又は２に記載の止水板。
【請求項４】
前記止水ゴム部が、エチレン・プロピレン・ジエンゴムを含む請求項１〜３のいずれか１項に記載の止水板。
【請求項５】
前記止水ゴム部が、前記止水シートの少なくともいずれかの端部において、前記止水シートの両面のいずれか一方に接着される請求項１〜４のいずれか１項に記載の止水板。
【請求項６】
前記端部が、前記止水シートの下端部である請求項５に記載の止水板。
【請求項７】
前記止水ゴム部が、前記端部から前記止水シートの外側にはみ出るように設けられる請求項５又は６に記載の止水板。
【請求項８】
前記止水ゴム部が、前記止水シートの下端部において、前記止水シートの両面のいずれか一方に接着されるとともに、前記下端部から前記止水シートの下側にはみ出るように設けられ、
前記止水ゴム部のはみ出た部分が曲げられ、前記縦リブ部が、曲げられた止水ゴム部の上に立設される請求項７に記載の止水板。
【請求項９】
前記止水シートが、正面側に縦リブ部を有するとともに、背面側に前記止水ゴム部が接着される請求項１〜８のいずれか１項に記載の止水板。
【請求項１０】
前記スキン部が、繊維と合成樹脂との複合材からなる請求項１〜９のいずれか１項に記載の止水板。
【請求項１１】
請求項１〜１０のいずれか１項に記載の止水板と、
所定の間隔をおいて設けられる一対の支柱材とを備え、
前記止水板の両側端部が前記一対の支柱材それぞれに取り付けられる浸水防止装置。
【発明の詳細な説明】
【技術分野】
【０００１】
本発明は、止水板及び浸水防止装置に関し、より具体的には、各種建物の出入口、又は地下の入り口などの浸水の可能性がある箇所に、豪雨時等に設置する止水板及び浸水防止装置に関する。
【背景技術】
【０００２】
従来、大雨や高潮等の発生時、道路に溢れた水が建物内、地下施設などに浸入するのを防止するため、止水板が用いられている。例えば、特許文献１には、水平方向に長い断面矩形状の複数本の基本形枠材を上下に重ね合わせて順次連結すると共に、連結した板体の周囲に縁枠材を装着することにより一枚の止水板とすることが開示されている。このような止水板は、所定の間隔を置いて配置される一対の支柱の対向面に形成された溝と、床上に形成された溝に水密に嵌め込まれて設置される。
【０００３】
しかし、特許文献１に開示される止水板は、基本形枠材及び縁枠材の保管場所の確保が困難で、またこれらの重量が重くて持ち運びが容易ではなく、さらに、止水板の組み立て及び設置に時間がかかるといった問題がある。そのため、軽量で設置や持ち運びが容易となるように、止水板に関する各種検討がなされている。
例えば、特許文献２には、止水板を炭素繊維強化プラスチック製とした防水装置が開示されている。また、特許文献３には、複数本の金属ユニットを互いに接するように板状に配置されてなる金属体と、金属体の一方の面を覆い、金属ユニットを連結する連結シートとを備え、連結シートにより、巻回可能とされた止水板が開示されている。この止水板は、金属板の全部を覆うようにゴム部材がさらに設けられており、ゴム部材が、地下鉄の入り口などに設けられた構造物に密着させられることで水密性が確保されている。
【先行技術文献】
【特許文献】
【０００４】
【特許文献１】実公平４−２１８５７号公報
【特許文献２】特開２０１６−１９１２３６号公報
【特許文献３】特開２０１７−４８６７２号公報
【発明の概要】
【発明が解決しようとする課題】
【０００５】
しかしながら、特許文献２の止水板は、折り畳むことができず、比較的広い保管場所が必要となるうえ、その全体の形状及び重量から持ち運び性や作業性が良好とはいえない。また、特許文献３の止水板でも、金属部品を使用しているため重く持ち運び性が困難である。
そこで、本発明者らは検討の結果、止水板を、繊維と合成樹脂からなる縦リブ部を複数有する止水シートと、止水ゴム部とを有するものとすることで、巻回可能で保管時にはコンパクトとなり、軽量で容易に組み立てることができ、かつ止水性にも優れることを見出した。しかし、前記止水板に対して複数回の防水試験を行った結果、底面や水に直接接触する止水ゴム部が止水シートに比べて劣化しやすいという問題が新たに見いだされた。
【０００６】
本発明はこのような問題点に鑑みてなされたものであり、本発明の課題は、軽量で保管時にはコンパクトであり、かつ容易に組み立てることができるばかりでなく、複数回の使用に耐える耐久性を有しながらも、一部劣化してもその部材を容易に交換でき、メンテナンス性が良好な止水板を提供することである。
【課題を解決するための手段】
【０００７】
本発明者らは、上記課題を解決すべく鋭意検討した結果、止水シートと止水ゴム部の間に粘着層を設けることで、耐久性とメンテナンス性を両立できることを見出し、本発明に到達した。すなわち、本発明は、下記［１］〜［１１］の特徴を有する。
［１］繊維及び合成樹脂の複合材からなる複数の縦リブ部が並設され、かつ隣接する縦リブ部の間にスキン部を有する巻回可能な止水シートと、
止水ゴム部と、
前記止水シートと止水ゴム部の間に配置され、前記止水ゴム部を前記止水シートに接着させる粘着層と
を備える止水板。
［２］前記粘着層がアクリル系粘着剤からなる上記［１］に記載の止水板。
［３］前記止水シートと止水ゴム部の間に、熱可塑性樹脂層と、前記熱可塑性樹脂層の両面それぞれに設けられた前記粘着層とを備える上記［１］又は［２］に記載の止水板。
［４］前記止水ゴム部が、エチレン・プロピレン・ジエンゴムを含む上記［１］〜［３］のいずれか１項に記載の止水板。
［５］前記止水ゴム部が、前記止水シートの少なくともいずれかの端部において、前記止水シートの両面のいずれか一方に接着される上記［１］〜［４］のいずれか１項に記載の止水板。
［６］前記端部が、前記止水シートの下端部である上記［５］に記載の止水板。
［７］前記止水ゴム部が、前記端部から前記止水シートの外側にはみ出るように設けられる上記［５］又は［６］に記載の止水板。
［８］前記止水ゴム部が、前記止水シートの下端部において、前記止水シートの両面のいずれか一方に接着されるとともに、前記下端部から前記止水シートの下側にはみ出るように設けられ、
前記止水ゴム部のはみ出た部分が曲げられ、前記縦リブ部が、曲げられた止水ゴム部の上に立設される上記［７］に記載の止水板。
［９］前記止水シートが、正面側に縦リブ部を有するとともに、背面側に前記止水ゴム部が接着される上記［１］〜［８］のいずれか１項に記載の止水板。
［１０］前記スキン部が、繊維と合成樹脂との複合材からなる上記［１］〜［９］のいずれか１項に記載の止水板。
［１１］上記［１］〜［１０］のいずれか１項に記載の止水板と、
所定の間隔をおいて設けられる一対の支柱材とを備え、
前記止水板の両側端部が前記一対の支柱材それぞれに取り付けられる浸水防止装置。
【発明の効果】
【０００８】
本発明の止水板は、軽量で持ち運びが容易で保管時にはコンパクトであり、熟練した作業員でなくとも容易に設置することができる。さらに、本発明の止水板は、複数回の使用においても耐久性を有し、かつ一部劣化したとしてもその部材を容易に取り替えることができるためメンテナンス性も良好である。
【図面の簡単な説明】
【０００９】
【図１】本発明の一実施形態に係る浸水防止装置を背面側から見た斜視図である。
【図２】本発明の一実施形態に係る浸水防止装置の分解斜視図である。
【図３】本発明の一実施形態に係る浸水防止装置を正面側から見た斜視図である。
【図４】本発明の一実施形態に係る止水板の断面図である。
【図５】本発明の一実施形態に係る止水板の断面図であって、止水ゴム部を折り曲げたときの状態を示す。
【発明を実施するための形態】
【００１０】
以下、本発明の一実施形態について図面を参照に説明する。
［浸水防止装置］
浸水防止装置３０は、図１〜３に示すように、止水板１０と、所定の間隔をおいて設けられる一対の支柱材３１、３１とを備える。止水板１０は、支柱材３１、３１の間に配置され、その両側端部が一対の支柱材３１、３１それぞれに取り付けられ、各種建物、地下の出入口、通路などを塞いで、大雨や洪水等が発生した際、氾濫した水が道路側から建物、地下などに浸入するのを防止するものである。建物としては、家屋、ビルなどあらゆるものでよく、浸水防止装置３０は、例えば、ビル、地下への出入口、家屋の玄関などに配置されるとよい。
【００１１】
以下、まず止水板について詳細に説明する。
図１〜５に示すように、止水板１０は、並設される複数の縦リブ部１１Ｂを有する止水シート１１と、止水シート１１に取り付けられる止水ゴム部１２とを有する。止水シート１１は、両側の支柱材３１，３１間に張設可能な横幅を有するシート本体１１Ａと、シート本体１１Ａの一方の面において、シート本体１１Ａの横幅方向に一定間隔で並べられ、かつシート本体１１Ａから突設する縦リブ部１１Ｂとを有する。隣接する縦リブ部１１Ｂ、１１Ｂは、これらの間に配置され、シート本体１１Ａにより構成されるスキン部１１Ｃにより接続される。止水板１０は、縦リブ部１１Ｂ、１１Ｂの間のスキン部１１Ｃを基点に湾曲させられることで巻回可能となる。
【００１２】
浸水防止装置３０において、止水シート１１は、縦リブ部１１Ｂが設けられる面（以下、「正面」ともいう）１１Ｄが、浸水の上流側に向けられる面となり、縦リブ部１１Ｂが設けられないシート本体１１Ａ側の面（以下、「背面」ともいう）１１Ｅが、浸水の下流側に向けられた面となる。なお、浸水の上流側とは、水が氾濫などした道路側であり、浸水の下流側は、浸水を防止する対象である建物、地下側である。
【００１３】
図３〜５に示すように，縦リブ部１１Ｂは、シート本体１１Ａの上端部から下端部まで延在し、縦リブ部１１Ｂの下端面と、シート本体１１Ａの下端面とが面一となっている。したがって、後述するように、止水シート１１は、止水ゴム部１２の上に立設されるが、そのとき、シート本体１１Ａの下端面及び縦リブ部１１Ｂの下端面は、止水ゴム部１２の上面に当接することになり、これにより、止水板１０の下端部の水密性が優れたものとなる。なお、縦リブ部１１Ｂは、浸水防止装置３０において、その長さ方向と設置面（床面）とのなす角度が、４５〜９０°、好ましくは８０〜９０°、最も好ましくは９０°となるものである。この角度は９０°に近くなるほど、止水板１０を適切に巻回させることが可能になる。
【００１４】
止水シート１１のスキン部１１Ｃを構成するシート本体１１Ａは、繊維と合成樹脂の複合材からなるものであり、繊維と繊維に含浸させた合成樹脂を含むものである。具体的には、繊維状基材に合成樹脂を含浸させた複合基材を有することが好ましい。繊維状基材としては、連続繊維を使用したものが好ましく、織物、編物、不織布、一方向に連続繊維が配列されてなる一方向連続繊維などが挙げられ、これらの中では織物がより好ましい。繊維状基材を構成している繊維としては、特に限定されないが、ガラス繊維及び炭素繊維から選択されることが好ましく、機械物性の観点から炭素繊維がより好ましく用いられる。炭素繊維としては、例えば、ＰＡＮ系炭素繊維、ＰＩＴＣＨ系炭素繊維などが挙げられる。ガラス繊維としては、例えば、Ｅガラス繊維などが挙げられる。
【００１５】
縦リブ部１１Ｂは、繊維と合成樹脂の複合材からなり、合成樹脂から構成され、縦リブ部１１Ｂの長さ方向に延在する芯部と、この芯部の少なくとも一部を被覆する表皮層とを含むことが好ましい。表皮層は、樹脂含浸繊維が好ましく、樹脂含浸繊維は、繊維状補強材と、この繊維状補強材に含浸された合成樹脂とを含む。
また、表皮層は、止水シート１１の表面において、芯部のみならず、隣接する縦リブ部１１Ｂ、１１Ｂ間のスキン部１１Ｃの表面も覆うように形成されていることが好ましい。この場合、表皮層は、縦リブ部１１Ｂ、１１Ｂ間のスキン部１１Ｃにおいてシート本体１１Ａを構成する上記複合基材上に積層されるとよい。
【００１６】
表皮層に使用される繊維状補強材としては、連続繊維を使用したものが好ましく、織物、編物、不織布、一方向に連続繊維が配列されてなる一方向連続繊維などが挙げられ、一方向連続繊維がより好ましい。一方向連続繊維は、横方向、すなわち、各縦リブ部１１Ｂの長さ方向と交差するように延在することが好ましい。繊維状補強材を構成する繊維としては、特に限定されないが、ガラス繊維及び炭素繊維から選択されることが好ましく、防水性及び機械物性の観点からガラス繊維がより好ましく用いられる。炭素繊維としては、例えば、ＰＡＮ系炭素繊維、ＰＩＴＣＨ系炭素繊維などが挙げられる。ガラス繊維としては、例えば、Ｅガラス繊維などが挙げられる。
また、繊維状基材、及び繊維状補強材のうち少なくとも一方は、炭素繊維であることがより好ましい。すなわち、止水シートの繊維は、少なくとも一部が炭素繊維であることがより好ましい。また、繊維状基材が炭素繊維、繊維状補強材がガラス繊維であることがさらに好ましい。
【００１７】
止水シート１１に使用する合成樹脂としては、熱可塑性樹脂又は熱硬化性樹脂の何れであってもよいが、熱可塑性樹脂が好ましい。熱可塑性樹脂としては、例えば、ポリオレフィン系樹脂、ポリエステル系樹脂、ポリアミド樹脂などが挙げられ、これらの中では、ポリオレフィン系樹脂、特にポリプロピレン樹脂が好ましい。熱硬化性樹脂としては、エポキシ樹脂、不飽和ポリエステル樹脂、フェノール樹脂、メラミン樹脂、ポリウレタン樹脂などが挙げられる。
止水シート１１において、シート本体１１Ａ、縦リブ部１１Ｂを構成するための芯部及び表皮層に使用する合成樹脂は、いずれも同種のものを使用してもよいし、異なるものを使用してもよいが、同種のものを使用することが好ましい。したがって、シート本体１１Ａ（すなわち、スキン部）、及び縦リブ部１１Ｂに使用する合成樹脂は、いずれもポリオレフィン系樹脂、特にポリプロピレン樹脂が好ましい。
【００１８】
止水ゴム部１２を構成するゴムは、従来公知のゴムが使用可能であり、天然ゴム（ＮＲ）、イソプレンゴム（ＩＲ）、ブタジエンゴム（ＢＲ）、スチレンブタジエンゴム（ＳＢＲ）、クロロプレンゴム（ＣＲ）、ブチルゴム（ＩＩＲ）、アクリロニトリルブタジエンゴム（ＮＢＲ）、水素化アクリロニトリルブタジエンゴム（ＨＮＢＲ）、ノルボルネンゴム（ＮＯＲ）、エチレン・プロピレンゴム（ＥＰＭ）、エチレン・プロピレン・ジエンゴム（ＥＰＤＭ）、アクリルゴム（ＡＣＭ）、フッ素ゴム（ＦＫＭ）、クロロスルホン化ポリエチレン（ＣＳＭ）、エピクロロヒドリンゴム、シリコーンゴム、ウレタンゴムなどが挙げられる。
これらゴムは、一種単独で使用してもよいし、２種以上を使用してもよい。
また、これらの中では、エチレン・プロピレン・ジエンゴム（ＥＰＤＭ）が好ましい。ＥＰＤＭは、耐熱性、耐候性などに優れ、かつ、粘着剤、特にアクリル系粘着剤との接着性及び脱着性に優れるため、耐久性及びメンテナンス性が良好となりやすい。
【００１９】
止水ゴム部１２は、一般的に上記ゴムに、各種添加剤が配合されてもよい。添加剤は、通常のゴムに使用される各種添加剤が使用され、軟化剤、可塑剤、架橋剤、老化防止剤、酸化防止剤、架橋助剤、着色剤、充填材などが挙げられる。止水ゴム部１２は架橋剤が配合される場合、架橋剤により架橋されているとよい。架橋剤は、加硫剤とも呼ばれるもので、硫黄系架橋剤、過酸化物系架橋剤などが挙げられる。また、本実施形態において止水ゴム部１２はシート状であるが、本発明の止水ゴム部はシート状以外の形状を有していてもよい。
【００２０】
止水板１０は、止水シート１１と止水ゴム部１２の間に配置される粘着層を備え、その粘着層により止水ゴム部１２が止水シート１１に接着される。止水シート１１と止水ゴム部１２の間には、より具体的には、図４に示すように、基材１３Ａと、基材１３Ａの両面それぞれに設けられた粘着層１３Ｂ、１３Ｃとが配置されるとよい。
ただし、止水シート１１と止水ゴム部１２の間には単層の粘着層が設けられ、その単層の粘着層により、止水ゴム部１２が止水シート１１に接着されてもよい。
【００２１】
止水シート１１と止水ゴム部１２の間に配置される、基材１３Ａ及び粘着層１３Ｂ，１３Ｃの積層体、又は、粘着層単層は、両面粘着テープを使用することで形成するとよい。上記積層体の場合には、両面粘着テープは、基材と、基材の両面それぞれに粘着層を有するものを使用すればよい。また、粘着層単層である場合には、両面粘着テープは、基材を有しない、粘着層単層からなる基材レス両面粘着テープを使用すればよい。これら両面粘着テープを使用することで、簡単に止水ゴム部１２を止水シート１１に接着させることが可能である。
なお、両面粘着テープは、止水シート１１又は止水ゴム部１２それぞれに接着する接着面（すなわち、粘着層の表面）には、これらに接着する前に、剥離シートが貼着されていてもよい。また、両面粘着テープは、適宜ロール状に巻き取られていてもよい。剥離シートが貼着され、又はロール状に巻き取られた両面粘着テープは、剥離シートを剥離し、また、ロールから繰り出した後、使用すればよい。
【００２２】
基材１３Ａは、熱可塑性樹脂層であることが好ましく、具体的には、熱可塑性樹脂フィルム、熱可塑性樹脂クロスなどが挙げられ、熱可塑性樹脂クロスが好ましい。基材に使用される熱可塑性樹脂としては、ポリエチレン樹脂、ポリプロピレン樹脂などのポリオレフィン系樹脂、軟質ポリ塩化ビニル樹脂、ポリアミド樹脂、ポリエチレンテレフタレートなどのポリエステル樹脂などが挙げられる。また、クロスとしては、織布、編布、不織布などが挙げられる。
【００２３】
粘着層は、粘着剤からなるものであり、具体的には、アクリル系粘着剤、ゴム系粘着剤、ウレタン系粘着剤、シリコ−ン系粘着剤などが使用され、これらの中ではアクリル系粘着剤が好ましい。アクリル系粘着剤は、各種の（メタ）アクリレート由来の構成単位を有するアクリル系共重合体を含有し、適宜、粘着付与樹脂、架橋剤などが配合されてもよい。
粘着層にアクリル系粘着剤を使用することで、止水ゴム部１２と止水シート１１の間の水密性を良好にすることが可能である。また、ＥＰＤＭなどの各種ゴムとの剥離性が良好であり、止水ゴム部１２を止水シート１１から剥離するときに、止水シート１１に糊残りが生じにくくなる。
また、ゴム系粘着剤は、ゴム成分を含有し、適宜、粘着付与樹脂、架橋剤などが配合されてもよい。ゴム成分としては、スチレン系熱可塑性エラストマー、スチレン−ブタジエンゴム、ポリイソブチレンゴム、ポリイソプレンゴム、クロロプレンゴム、ブチルゴム、ニトリルブチルゴムなどが挙げられる。
【００２４】
止水シート１１と止水ゴム部１２の間に配置される、基材１３Ａ及び粘着層１３Ｂ，１３Ｃの積層体の厚さ合計、又は、粘着層単層の厚さは、特に限定されないが、０．０５〜１ｍｍ程度、好ましくは０．１〜０．５ｍｍである。
【００２５】
本発明の止水板１０における止水ゴム部１２は、水に接触する頻度や、巻回時の負荷によって、止水シート１１よりも早く劣化するため止水ゴム部１２のみを交換する必要が生じる。すなわち、止水板１０を長期間使用すると、劣化した止水ゴム部１２を止水シート１１から剥がした後、新たな止水ゴム部１２を止水シート１１に接着させるメンテナンスを行う必要がある。
本発明は、巻回可能な止水シート１１と、止水ゴム部１２とを備える止水板のみで生じる上記課題を見いだし、従来であれば耐水性接着剤を用いていたところを、初めて粘着層を使用することで、止水性を有するとともに、必要に応じて止水ゴム部１２を止水シート１１から剥離でき、新たな止水ゴム部１２を容易に止水シート１１に接着させることが可能になり、メンテナンス性が良好となることを見いだしたものである。
特に各種粘着層の中でも、極性が高く、低極性のポリオレフィン系樹脂との粘着性が低いことが知られているアクリル系粘着層を用いることで、止水性とメンテナンス性が両立できたものと考えられる。
【００２６】
本発明において、縦リブ部１１Ｂの芯部がポリプロピレン、表皮層がポリプロピレンが含浸された床面に平行な一方向連続ガラス繊維であり、スキン部１１Ｃがポリプロピレンが含浸された炭素繊維織物である止水シート１１と、アクリル系粘着層と、ＥＰＤＭからなる止水ゴム部１２とからなる止水板１０が最も好ましい態様であるが、本発明は上記態様に限定されるものではない。
【００２７】
止水シート１１は、一方の面（正面１１Ｄ）に縦リブ部１１Ｂを有するとともに、他方の面（背面１１Ｅ）には縦リブ部１１Ｂが設けられず、その背面１１Ｅに止水ゴム部１２が粘着層によって接着されている。止水シート１１の背面１１Ｅは、通常、平面状であるので、止水ゴム部１２を接着しやすくなる。また、後述するように、止水ゴム部１２が背面１１Ｅ側から正面１１Ｄ側に折り曲げられることになるので、上流側からの浸水に対する止水性が良好となる。
また、止水板１０は、止水ゴム部１２が止水シート１１に接着されてなるものであるが、止水ゴム部１２が弾性を有するので、止水板１０は、止水シート１１が止水ゴム部１２に接着されたままこれらが一体となって図２に示すように巻回させることが可能になる。なお、止水ゴム部１２は、折り曲げずに止水シート１１と同様にシート状に延ばされた状態から巻回させるとよい。
【００２８】
さらに、止水ゴム部１２は、一部が止水シート１１の背面１１Ｅの一部に重なり合うように配置され、かつその重なり合う部分が粘着層により接着されるとともに、一部が止水シート１１からはみ出るように設けられる。具体的には、止水ゴム部１２は、図４に示すように、一部が止水シート１１の下端部における背面１１Ｅ上に重なり、かつ粘着層により接着されるとともに、一部が下端部より下側にはみ出るように設けられている。
ここで、止水ゴム部１２は、設置されるとき、図１，３，５に示すように、下端部よりはみ出た部分が、止水シート１１の背面１１Ｅ上の部分に対して折り曲げられるとともに、止水シート１１が、その折り曲げられた止水ゴム部１２の上に立設される。そして、止水シート１１は、例えば後述する圧着手段３３により止水ゴム部１２の上面に押さえ付けられるので、止水板１０の下端部における水密性が確保される。
【００２９】
また、本実施形態において、止水ゴム部１２の止水シート１１の背面１１Ｅに重なられた部分の縦幅Ｅ３は、特に限定されないが、止水シート１１の縦幅Ｅ１に対して、例えば０．０１〜０．４５、好ましくは０．０３〜０．３である。
さらに、止水ゴム部１２の縦幅Ｅ２は、特に限定されないが、止水シート１１の縦幅Ｅ１に対して、例えば０．１〜０．７５、好ましくは０．２〜０．６５である。なお、止水ゴム部１２の縦幅Ｅ２とは、折り曲げられる前の縦幅を意味する。
なお、止水ゴム部１２は、止水シート１１に重なり合う部分全体が粘着層により接着されることが好ましいが、一部が粘着層により接着されていてもよい。
【００３０】
次に、止水板１０の両側端部と、支柱材との接続構造を説明する。
図１〜３に示すように、浸水防止装置３０が有する支柱材３１、３１それぞれは、互いに対向して設けられ、止水板１０の両側端部が挿入される縦溝３１Ａ、３１Ａを備える。縦溝３１Ａは、例えば横断面コ字状である。また、支柱材３１、３１は、出入口又は通路の両側壁面などに形成されるとよい。
【００３１】
止水板１０の両側端部それぞれには、縦溝３１Ａ、３１Ａに挿入されるための側板１４、１４が設けられる。側板１４は、剛直性を有する金属製または合成樹脂製の帯板材からなる。側板１４は、横幅方向における外側部分が縦溝３１Ａに挿入されるとともに、横幅方向における内側部分が止水シート１１の両側端部それぞれの正面１１Ｄ上に重ね合わせられ、ボルト及びナットなどの固定手段によって止水シート１１に固定される。また、側板１４の下端面は、止水シート１１の下端面と面一となるように配置されており、したがって、側板１４の下端面も、折り曲げられた止水ゴム部１２の上面に当接することになる。
また、側板１４の厚さは、縦溝３１Ａの溝幅よりも薄く形成されるとともに、縦溝３１Ａに挿入された側板１４の外側部分の両面それぞれには、スポンジ材などの弾性部材１５が取り付けられている。また、側板１４の側端面外側にも、弾性部材１５が設けられるとよい。弾性部材１５は、縦溝３１Ａの内面に圧着することにより、止水板１０と支柱材３１の間の水密性が確保される。
【００３２】
ただし、本実施形態では、止水板の両側端部が縦溝内に挿入され、かつ縦溝内部の内面に圧着するように設けられることで水密性が確保されれば、上記構成に限定されない。例えば、側板１４の外側部分の一方の面（例えば、上流側に向けられた面）のみに弾性部材１５が取り付けられるとともに、側板１４の外側部分の他方の面（例えば、下流側に向けられた面）側から側板１４を押圧するレバー、螺軸等が設けられてもよい。
さらに、止水板１０と支柱材３１の間の水密性が確保されていれば、縦溝３１Ａ，側板１４が設けられる必要はなく、縦溝３１Ａ、側板１４以外の部材により、止水板１０が支柱材３１に圧着され、これらの間に水密性が確保されてもよい。
例えば、側板１４が省略され、止水シート１１の両側端部に直接取り付けられた弾性部材が、支柱材３１に圧着することで、止水板１０と支柱材３１の間の水密性が確保されてもよい。この場合、支柱材３１は、出入口又は通路の側壁面などであってもよい。また、弾性部材としては、ゴム部材などが使用されるとよく、上記した下端部に設けられた止水ゴム部と同様の構成を有するものであってもよい。
【００３３】
また、浸水防止装置３０は、図１〜３に示すように、さらに閂部材３２、及び圧着手段３３を有するとよい。閂部材３２は、剛直性を有する部材からなり、その長さ方向を水平にし、かつその正面側を止水シート１１の下側部分の背面１１Ｅに近接或いは接触させた状態で沿わせ、支持金具３４によって床面に固定させる。ただし、閂部材３２は、支持金具３４によって床面に固定させる必要はなく、例えば、両支柱材などに固定してもよい。また、閂部材３２は、図１、２に示すように、止水シート１１の横幅方向に直列的に複数本配置してもよいし、１本であってもよい。
閂部材３２は、張設された止水シート１１が両側端部を支点に下流側に湾曲変形しようとすると、止水シート１１を背面１１Ｅから支持して、止水シート１１が湾曲変形することを防止する。
【００３４】
圧着手段３３は、長さ方向に伸縮可能なゴム製の弾性ベルト体３３Ａと、弾性ベルト体３３Ａの上端部に装着され、止水シート１１の上端部に着脱自在に係止させるフック形状の取付用金具３３Ｂと、弾性ベルト体３３Ａの下端部に装着され、閂部材３２に連結させる連結用金具３３Ｃとを備える。連結用金具３３Ｃは、図1、２に示すように、弾性ベルト体３３Ａの下端部に接続された金属製環体３３Ｄと、金属製環体３３Ｄと閂部材３２それぞれに係脱自在に係止される係止具３３Ｅとを備えるが、このような構成に限定されず、例えば、弾性ベルト体３３Ａの下端部を、閂部材３２の上面に直接連結させる金具であってもよい。また、圧着手段３３が止水シート１１の上端部に係止し、かつ閂部材３２に連結されたとき、弾性ベルト体３３Ａは伸長した状態となるとよく、適宜長さ調整可能に構成されてもよい。
【００３５】
圧着手段３３は、弾性ベルト体３３Ａの弾性収縮力によって閂部材３２を支点として、取付用金具３３Ｂを介して止水シート１１を下方に押圧する。この押圧力によって止水シート１１が止水ゴム部１２をさらに押圧することで、止水ゴム部１２を床面に圧着させ、止水板１０の下端部側の水密性を確保する。
なお、圧着手段３３の数は、止水シート１１の横幅の長さに応じて適宜変更すればよく、通常は複数個設けられる。複数個の圧着手段３３は、図１に示すように、止水シート１１の横幅方向に間隔をおいて並設される。
【００３６】
なお、閂部材３２及び圧着手段３３は、適宜省略してもよく、閂部材３２、圧着手段３３以外の手段により、止水シート１１を上方から押圧して、止水ゴム部１２を床面に圧着させてもよい。
また、浸水防止装置３０は、止水板１０を適宜支持する部材をさらに有してもよく、例えば、止水板１０を通路又は出入口の両側壁面によって支持させるための支持部材などをさらに有してもよい。そのような支持部材は、止水板１０を両側壁面などに接続するように設けられるとよい。
【００３７】
［浸水防止装置の使用態様］
次に、浸水防止装置３０の使用態様を説明する。浸水防止装置３０は、不使用時には止水板１０、閂部材３２、及び圧着手段３３など、支柱材３１以外の浸水防止装置３０を構成する部品が纏められて保管されるとよい。なお、止水板１０は、上記したように、止水シート１１及び止水ゴム部１２が粘着層により接着されており、これらは上記したように一体となったまま巻回されて保管されるとよい。
一方、使用するときには、保管されていた止水板１０、閂部材３２、及び圧着手段３３等を設置場所まで搬出する。その後、止水板１０を展開し、かつその下端部に取り付けられている止水ゴム部１２のはみ出た部分を、止水シート１１の正面１１Ｄ側に折り曲げるとともに、その折り曲げた止水ゴム部１２を床面上に敷設する。敷設した止水ゴム部１２の上には、止水シート１１及び側板１４を立設させる。また、止水シート１１の両側端部に取り付けられた側板１４、１４それぞれを支柱材３１，３１の縦溝３１Ａ，３１Ａ内に挿入する。そして、弾性部材１５を縦溝３１Ａの内面に密着させるとともに、止水シート１１を支柱材３１、３１間に張設して、止水板１０を両支柱材３１，３１間に固定させる。
【００３８】
また、止水シート１１の背面１１Ｅ側に閂部材３２及び圧着手段３３を配設させる作業も行う。具体的には、まず、閂部材３２を、長さ方向を水平にし、かつ止水シート１１の下側部分の背面１１Ｅに沿って配置させた状態にして、支持金具３４によって床面などに固定させる。その後、圧着手段３３の弾性ベルト体３３Ａの上端部に装着している取付用金具３３Ｂを止水シート１１の上端部に引っ掛けて係止させるとともに、弾性ベルト体３３Ａの下端部に装着している連結用金具３３Ｃを閂部材３２に取り付けるとよい。このとき、弾性ベルト体３３Ａは伸長させた状態にする。
また、止水板を出入口又は通路の側壁面などによってさらに支持させるための支持部材が別途設けられる場合には、その支持部材も適宜取り付けるとよい。
【００３９】
以上のようにして設置された浸水防止装置３０は、止水板１０の両側端部、及び下端部が支柱材３１及び床面に水密に密着されることになる。したがって、上流側から水が流れてきても止水板１０により止水され、下流側に浸水することが防止される。
また、本実施形態における止水板１０は、止水シート１１が合成樹脂及び繊維により構成されることで、軽量で持ち運びが容易であるとともに、巻回可能であるため保管時にはコンパクトとなる一方で、熟練した作業員でなくとも容易に設置することができる。
さらに、止水板１０は、止水シート１１が合成樹脂及び繊維により構成されるとともに、止水ゴム部１２が粘着層により止水シート１１に接着されることで、複数回使用できる耐久性を有する。加えて、止水ゴム部１２は劣化したとしても、容易に取り替えることが可能であり、メンテナンス性も良好である。
【００４０】
なお、以上の実施形態では、止水ゴム部１２は、止水シート１１の下端部において、止水シート１１に接着されたが、下端部以外の端部において、止水シートに接着されてもよい。例えば、止水シート１１の側端部において、側板１４が省略され、その側板１４の代わりに止水ゴム部が設けられてもよい。その場合、止水ゴム部は、側端部において、背面１１Ｅ側に重ねられ粘着層により接着されるとともに、一部が、側端部の外側（例えば、左側の側端部ならば、左外側）にはみ出るように設けられて、折り曲げられるとよい。そして、その折り曲げられた止水ゴム部１２は、止水シート１１の側端面により押圧されることで、支柱材３１に圧着され、それにより、止水板１０と支柱材３１の間の水密性が確保されるとよい。この場合、止水板１０の下端部は、上記した止水ゴム部１２により水密性が確保されてもよいが、その他の構成により水密性が確保されてもよい。
さらに、以上の説明では、止水ゴム部１２は、止水シート１１の背面１１Ｅに接着される態様を示したが、縦リブ部１１Ｂが設けられる止水シート１１の正面１１Ｄに接着されてもよい。ただし、止水シート１１と止水ゴム部１２の接着性、水密性などを考慮すると、背面１１Ｅに接着させたほうがよい。
【実施例】
【００４１】
本発明を実施例により更に詳細に説明するが、本発明はこれらの例によってなんら限定されるものではない。
【００４２】
［止水シート］
各実施例で使用した止水シートは以下のように製造した。
縦リブ部に対応した溝部を有する金型を備えたプレス成形機に、一軸方向連続ガラス繊維にポリプロピレンを含浸させたガラス繊維−ポリプロピレン複合テープ、ポリプロピレン樹脂シート、ポリプロピレン棒状成形体、ポリプロピレンシート、平織の炭素繊維織物、及びポリプロピレンシートをこの順に積層し、金型設定温度１８０℃で５分間プレスした。
その結果、縦幅４００ｍｍ×横幅４５００ｍｍの止水シートが得られた。なお、金型において連続ガラス繊維は溝部の長さ方向に垂直となるように配置した。
得られた止水シートにおいては、炭素繊維織物にポリプロピレンが含浸された複合基材によりシート本体が形成され、その複合基材上に、ポリプロピレンにより構成された芯部が形成された。また、ガラス繊維−ポリプロピレン複合層により芯部を被覆する表皮層が形成され、芯部及び表皮層によりなる縦リブ部が形成された。なお、表皮層は、縦リブ部間においては複合基材上にも積層され、縦リブ部間におけるスキン部においては、複合基材の上に表皮層が積層された。
【００４３】
＜実施例１＞
アクリル系両面粘着テープ（積水化学工業株式会社製、商品名：気密防水テープＮｏ.７４７ＷＴ、幅５０ｍｍ）及びＥＰＤＭゴムシート（縦幅２１０ｍｍ×横幅４５００ｍｍ）を用意した。なお、アクリル系両面粘着テープは、ポリエチレンクロスからなる基材の両面にアクリル系粘着剤よりなる粘着層を設け、かつ、一方の粘着層に剥離シートが貼着されてロール状に巻き取られたものである。なお、アクリル系両面粘着テープの基材及び２つの粘着層の合計厚さは０．２２ｍｍであった。
アクリル系両面粘着テープを、ロールから繰り出し、止水シートの下端部側における背面（縦リブ部を有しない面）に貼り合わせ、かつ止水シートの横幅に合わせて切断した。次いで、アクリル系両面粘着テープ上の剥離シートを剥がした後、露出した粘着層の上に、ＥＰＤＭゴムシートを重ね合わせ、図４に示すように、止水シート１１に止水ゴム部１２を接着した止水板１０を得た。得られた止水板１０は、止水シート１１（縦幅Ｅ１＝４００ｍｍ）と、止水ゴム部１２（縦幅Ｅ２＝２１０ｍｍ）の重なり合う部分の縦幅Ｅ３が５０ｍｍであり、全体の縦幅が５６０ｍｍであった。
【００４４】
次に、得られた止水板を床面にシート状に広げた後、巻回する動作と、シート状に広げる動作を１セットとし、その動作を１０００セット繰り返した。１０００セット終了後、止水シートとＥＰＤＭゴムシートの接着面を目視で確認したところ、剥がれやズレがないことを確認できた。
その後、止水シート部とＥＰＤＭゴムシートの間にある粘着層の一部をカッターで切り、人力でゆっくりとＥＰＤＭゴムシートを剥がしたところ、止水シートに粘着テープが残らず、綺麗に剥がすことができた。
【００４５】
＜実施例２＞
ブチルゴム系両面粘着テープ（株式会社ニトムズ製、商品名：強力防水用両面テープ  ＫＺ−１２、幅５０ｍｍ）によって、止水シートとＥＰＤＭゴムシートを接着した以外は、実施例１と同様にして、止水板を得た。
次に、実施例１と同様に、止水板を床面に広げた後、巻回する動作と、シート状に広げる動作を１セットとし、その動作を１０００セット繰り返した。１０００セット終了後、止水シートとＥＰＤＭゴムシートの接着面を目視で確認したところ、剥がれやズレがないことを確認できた。
その後、止水シート部とＥＰＤＭゴムシートの間にある粘着層の一部をカッターで切り、人力でゆっくりとＥＰＤＭゴムシートを剥がしたところ、止水シートに粘着テープの一部が残った。
【符号の説明】
【００４６】
１０  止水板
１１  止水シート
１１Ａ  シート本体
１１Ｂ  縦リブ部
１１Ｃ  スキン部
１１Ｄ  正面
１１Ｅ  背面
１２  止水ゴム部
１３Ａ  基材
１３Ｂ，１３Ｃ  粘着層
１４  側板
１５  弾性部材
３１  支柱材
３１Ａ  縦溝
３２  閂部材
３３  圧着手段
３３Ａ  弾性ベルト体
３３Ｂ  取付用金具
３３Ｃ  連結用金具
３３Ｄ  金属製環体
３３Ｅ  係止具
３４  支持金具
【図１】
2019100054.tif 000003
【図２】
2019100054.tif 000004
【図３】
2019100054.tif 000005
【図４】
2019100054.tif 000006
【図５】
2019100054.tif 000007